(57)【要約】【課題】  広告表示装置に表示されている広告に興味を持った広告閲覧者のメールアドレスを広告主に知らせることなく、広告主が広告閲覧者に対して電子メールを用いた積極的なアプローチを行えるようにする。【解決手段】  広告表示装置8-1に表示されている広告に興味を持った広告閲覧者は、自身の携帯端末9-1のメールアドレスを広告表示装置8-1に入力する。広告表示装置8-1は、上記メールアドレスと、表示中の広告コンテンツIDとを含む顧客アドレス通知をメール配信サーバ３へ送信する。メール配信サーバ３は、それに含まれている広告コンテンツIDによって特定される広告主端末10-1へ広告コンテンツIDを含む顧客通知を送信すると共にメールアドレスを管理する。その後、広告主端末10-1から顧客通知に対するメールが送られてくると、この広告主メールを管理しているメールアドレスへ送信する。【選択図】      図１
2005258865.tif 000002
【特許請求の範囲】
【請求項１】
広告表示装置と、メール配信サーバとを含む広告仲介システムであって、
前記広告表示装置が、
広告コンテンツをディスプレイ装置に表示する表示制御手段と、
携帯端末から広告コンテンツ要求が送られてきたとき、現在表示中の広告コンテンツを前記携帯端末に送信し、前記広告コンテンツの送信先の携帯端末からメールアドレスが送られたきたとき、前記広告コンテンツを特定する広告コンテンツＩＤと前記メールアドレスとを含む顧客アドレス通知を前記メール配信サーバへ送信する顧客アドレス通知手段とを備え、
前記メール配信サーバが、
前記広告表示装置から顧客アドレス通知が送られてきたとき、前記顧客アドレス通知に含まれている広告コンテンツＩＤによって特定される広告主端末へ前記広告コンテンツＩＤを含む顧客通知を送信すると共に、前記顧客アドレス通知に含まれているメールアドレスを管理し、前記広告主端末から前記顧客通知に対する広告主メールが送られてきたとき、該広告主メールを前記管理しているメールアドレスへ送信するメール仲介手段を備えたことを特徴とする広告仲介システム。
【請求項２】
請求項１記載の広告仲介システムにおいて、
前記メール仲介手段が、
前記携帯端末から前記広告主メールに対する回答メールが送られてきたとき、該回答メールを前記広告主メールの送信元の広告主端末に送信し、前記広告主端末から第２回目以降の広告主メールが送られてきたとき、該広告主メールよりも１回前に前記携帯端末に対して送信した広告主メールに対する回答メールが前記携帯端末から送られてきていることを条件にして、前記広告主メールを前記携帯端末へ送信する構成を有することを特徴とする広告仲介システム。
【請求項３】
請求項１記載の広告仲介システムにおいて、
前記広告表示装置に対して、複数の広告コンテンツと、該複数の広告コンテンツの表示スケジュールを示す表示スケジュールデータとを送信する広告コンテンツ配信手段を有する広告配信サーバを備え、且つ、
広告表示装置が、
ローカルデータベースと、
前記広告配信サーバから送られてきた複数の広告コンテンツと表示スケジュールデータとを前記ローカルデータベースに登録する広告コンテンツ登録手段とを備え、
前記表示制御手段が、
前記ローカルデータベースに登録されている広告コンテンツを、前記ローカルデータベースに登録されている表示スケジュールデータに従って前記ディスプレイ装置に表示する構成を有することを特徴とする広告仲介システム。
【請求項４】
請求項３記載の広告仲介システムにおいて、
前記表示制御手段が、
前記ローカルデータベースに登録されている表示スケジュールデータに従って広告コンテンツを表示する毎に、表示した広告コンテンツの広告コンテンツＩＤを含んだ表示通知を前記広告配信サーバへ送信する構成を有し、
前記広告配信サーバが、
表示履歴記憶部と、
前記表示制御手段から送られてきた表示通知中の広告コンテンツＩＤを前記表示履歴記憶部に登録する表示履歴登録手段と、
前記表示履歴記憶部に登録されている広告コンテンツＩＤに基づいて、各広告主に対する課金金額を算出する課金手段とを備えたことを特徴とする広告仲介システム。
【請求項５】
請求項３記載の広告仲介システムにおいて、
前記広告表示装置が、
携帯端末から検索条件が入力されたとき、前記ローカルデータベースから前記検索条件に合う広告コンテンツを検索する検索手段を備え、且つ、
前記表示制御手段が、
前記検索手段で検索された広告コンテンツを前記ディスプレイ装置に表示する構成を有することを特徴とする広告仲介システム。
【請求項６】
請求項５記載の広告仲介システムにおいて、
検索履歴記憶部と、
表示スケジュール記憶部と、
前記検索手段から広告コンテンツＩＤと広告表示装置特定情報とを含む検索通知が送られてきたとき、前記コンテンツＩＤと前記広告表示装置特定情報と現在時刻とを対応付けて前記検索履歴記憶部に登録する検索履歴登録手段と、
前記検索履歴記憶部の内容に基づいて、広告表示装置特定情報によって特定される各広告表示装置毎の表示スケジュールデータを生成し、生成した表示スケジュールデータを前記表示スケジュール記憶部に登録する表示スケジュールデータ生成手段とを有する分析サーバを備え、且つ、
前記検索手段が、
検索した広告コンテンツの広告コンテンツＩＤと、自広告表示装置を特定する広告表示装置特定情報とを含む検索通知を前記分析サーバへ送信する構成を有し、
前記広告コンテンツ配信手段が、
広告表示装置へ広告コンテンツと表示スケジュールデータを送信する際、前記表示スケジュール記憶部に登録されている該当する表示スケジュールデータを送信する構成を有することを特徴とする広告仲介システム。
【請求項７】
請求項５記載の広告仲介システムにおいて、
送信履歴記憶部と、
表示スケジュール記憶部と、
前記顧客アドレス通知手段から広告コンテンツＩＤと広告表示装置特定情報とを含む送信通知が送られてきたとき、前記広告コンテンツＩＤと前記広告表示装置特定情報と現在時刻とを対応付けて前記送信履歴部に登録する送信履歴登録手段と、
前記検索履歴記憶部の内容に基づいて、広告表示装置特定情報によって特定される各広告表示装置毎の表示スケジュールデータを生成し、生成した表示スケジュールデータを前記表示スケジュール記憶部に登録する表示スケジュールデータ生成手段とを有する分析サーバを備え、且つ、
前記顧客アドレス通知手段が、
前記携帯端末へ送信した広告コンテンツの広告コンテンツＩＤと、広告表示装置を特定する広告表示装置特定情報とを含んだ送信通知を前記分析サーバに送信する構成を有し、
前記広告コンテンツ配信手段が、
広告表示装置へ広告コンテンツと表示スケジュールデータを送信する際、前記表示スケジュール記憶部に登録されている該当する表示スケジュールデータを送信する構成を有することを特徴とする広告仲介システム。
【請求項８】
請求項６または７記載の広告仲介システムにおいて、
前記広告コンテンツ配信手段が、
携帯端末から広告表示装置特定情報を含む広告コンテンツ要求が送られてきたとき、前記広告表示装置特定情報によって特定されている広告表示装置に配信している広告コンテンツと同じ広告コンテンツを、前記携帯端末に配信する構成を有することを特徴とする広告仲介システム。
【請求項９】
携帯端末から広告コンテンツ要求が送られてきたとき、現在表示中の広告コンテンツを前記携帯端末に送信し、前記広告コンテンツの送信先の携帯端末からメールアドレスが送られたきたとき、前記広告コンテンツを特定する広告コンテンツＩＤと前記メールアドレスとを含む顧客アドレス通知を送信する広告表示装置から顧客アドレス通知が送られてくることにより、前記顧客アドレス通知に含まれている広告コンテンツＩＤによって特定される広告主端末へ前記広告コンテンツＩＤを含む顧客通知を送信し、前記広告主端末から前記顧客通知に対する広告主メールが送られてきたとき、該広告主メールを前記顧客アドレス通知に含まれていたメールアドレスへ送信するメール仲介手段を備えたことを特徴とするメール配信サーバ。
【請求項１０】
コンピュータをメール配信サーバとして機能させるためのプログラムであって、
前記コンピュータを、
携帯端末から広告コンテンツ要求が送られてきたとき、現在表示中の広告コンテンツを前記携帯端末に送信し、前記広告コンテンツの送信先の携帯端末からメールアドレスが送られたきたとき、前記広告コンテンツを特定する広告コンテンツＩＤと前記メールアドレスとを含む顧客アドレス通知を送信する広告表示装置から顧客アドレス通知が送られてくることにより、前記顧客アドレス通知に含まれている広告コンテンツＩＤによって特定される広告主端末へ前記広告コンテンツＩＤを含む顧客通知を送信し、前記広告主端末から前記顧客通知に対する広告主メールが送られてきたとき、該広告主メールを前記顧客アドレス通知に含まれていたメールアドレスへ送信するメール仲介手段として機能させるためのプログラム。
【発明の詳細な説明】
【技術分野】
【０００１】
本発明は、広告表示装置に表示されている広告を見た広告閲覧者に対して、広告主が電子メールを用いて積極的にアプローチすることができる広告仲介システムに関し、特に、広告主に対して広告閲覧者のメールアドレスを知らせることなく、広告主から広告閲覧者に対して電子メールを用いた積極的なアプローチを可能にする広告仲介システムに関する。
【背景技術】
【０００２】
電子メールや広告表示装置等を用いて電子的に広告を行う電子広告システムは、従来から種々ものが提案されている（例えば、特許文献１，２参照）。
【０００３】
電子メールを用いた電子広告システムでは、広告主が何らかの方法で入手したメールアドレスに広告メールを送信することにより、広告を行う。また、広告表示装置を用いた電子広告システムでは、店舗、駅などに設置された広告表示装置に広告配信サーバから広告コンテンツを配信することにより広告を行う。
【特許文献１】特開２００２−２９８０１３号公報
【特許文献２】特開２００１−３０９１４０号公報
【発明の開示】
【発明が解決しようとする課題】
【０００４】
電子メールを用いて広告を行う方法は、広告主がユーザに対して積極的にアプローチすることはできるが、広告メールの受信を希望しないユーザに対してもメールの配信を行うため、ユーザに迷惑がかかる場合があるという問題があると共に、広告効果が低いという問題がある。
【０００５】
また、電子表示装置を用いて広告を行う方法は、広告表示装置の設置場所でしか広告を見ることができないため、ユーザが広告表示装置に表示されている広告に興味を持ったとしても、広告効果はその場限りのものになってしまうという問題がある。
【０００６】
そこで、本発明の目的は、広告表示装置に表示されている広告に興味を持った広告閲覧者のメールアドレスを広告主に知らせることなく、広告主が広告閲覧者に対して電子メールを用いた積極的なアプローチを行うことができる広告仲介システムを提供することにある。
【課題を解決するための手段】
【０００７】
本発明にかかる第１の広告仲介システムは、広告表示装置に表示されている広告に興味を持った広告閲覧者のメールアドレスを広告主に知らせることなく、広告主が広告閲覧者に対して電子メールを用いた積極的なアプローチを行えるようにするため、
広告表示装置と、メール配信サーバとを含む広告仲介システムであって、
前記広告表示装置が、
広告コンテンツをディスプレイ装置に表示する表示制御手段と、
携帯端末から広告コンテンツ要求が送られてきたとき、現在表示中の広告コンテンツを前記携帯端末に送信し、前記広告コンテンツの送信先の携帯端末からメールアドレスが送られたきたとき、前記広告コンテンツを特定する広告コンテンツＩＤと前記メールアドレスとを含む顧客アドレス通知を前記メール配信サーバへ送信する顧客アドレス通知手段とを備え、
前記メール配信サーバが、
前記広告表示装置から顧客アドレス通知が送られてきたとき、前記顧客アドレス通知に含まれている広告コンテンツＩＤによって特定される広告主端末へ前記広告コンテンツＩＤを含む顧客通知を送信すると共に、前記顧客アドレス通知に含まれているメールアドレスを管理し、前記広告主端末から前記顧客通知に対する広告主メールが送られてきたとき、該広告主メールを前記管理しているメールアドレスへ送信するメール仲介手段を備えたことを特徴とする。
【０００８】
また、本発明にかかる第２の広告仲介システムは、広告主からのメールが無制限に広告閲覧者の携帯端末に配信されないようにするため、
請求項１記載の広告仲介システムにおいて、
前記メール仲介手段が、
前記携帯端末から前記広告主メールに対する回答メールが送られてきたとき、該回答メールを前記広告主メールの送信元の広告主端末に送信し、前記広告主端末から第２回目以降の広告主メールが送られてきたとき、該広告主メールよりも１回前に前記携帯端末に対して送信した広告主メールに対する回答メールが前記携帯端末から送られてきていることを条件にして、前記広告主メールを前記携帯端末へ送信する構成を有することを特徴とする。
【０００９】
本発明にかかる第３の広告仲介システムは、スケジュール通りに広告を表示できるようにするため、
請求項１記載の広告仲介システムにおいて、
前記広告表示装置に対して、複数の広告コンテンツと、該複数の広告コンテンツの表示スケジュールを示す表示スケジュールデータとを送信する広告コンテンツ配信手段を有する広告配信サーバを備え、且つ、
広告表示装置が、
ローカルデータベースと、
前記広告配信サーバから送られてきた複数の広告コンテンツと表示スケジュールデータとを前記ローカルデータベースに登録する広告コンテンツ登録手段とを備え、
前記表示制御手段が、
前記ローカルデータベースに登録されている広告コンテンツを、前記ローカルデータベースに登録されている表示スケジュールデータに従って前記ディスプレイ装置に表示する構成を有することを特徴とする。
【００１０】
本発明にかかる第４の広告仲介システムは、電子広告事業者が広告主に対して、広告コンテンツの表示回数の応じた課金を行えるようにするため、第３の広告仲介システムにおいて、
前記表示制御手段が、
前記ローカルデータベースに登録されている表示スケジュールデータに従って広告コンテンツを表示する毎に、表示した広告コンテンツの広告コンテンツＩＤを含んだ表示通知を前記広告配信サーバへ送信する構成を有し、
前記広告配信サーバが、
表示履歴記憶部と、
前記表示制御手段から送られてきた表示通知中の広告コンテンツＩＤを前記表示履歴記憶部に登録する表示履歴登録手段と、
前記表示履歴記憶部に登録されている広告コンテンツＩＤに基づいて、各広告主に対する課金金額を算出する課金手段とを備えたことを特徴とする。
【００１１】
本発明にかかる第５の広告仲介システムは、広告閲覧者が指定した条件を満たす広告を広告表示装置に表示できるようにするため、第３の広告仲介システムにおいて、
前記広告表示装置が、
携帯端末から検索条件が入力されたとき、前記ローカルデータベースから前記検索条件に合う広告コンテンツを検索する検索手段を備え、且つ、
前記表示制御手段が、
前記検索手段で検索された広告コンテンツを前記ディスプレイ装置に表示する構成を有することを特徴とする。
【００１２】
本発明にかかる第６の広告仲介システムは、時間帯や広告表示装置の設置場所に応じて、広告閲覧者が興味を持つ広告を優先的に表示するため、第５の広告仲介システムにおいて、
検索履歴記憶部と、
表示スケジュール記憶部と、
前記検索手段から広告コンテンツＩＤと広告表示装置特定情報とを含む検索通知が送られてきたとき、前記コンテンツＩＤと前記広告表示装置特定情報と現在時刻とを対応付けて前記検索履歴記憶部に登録する検索履歴登録手段と、
前記検索履歴記憶部の内容に基づいて、広告表示装置特定情報によって特定される各広告表示装置毎の表示スケジュールデータを生成し、生成した表示スケジュールデータを前記表示スケジュール記憶部に登録する表示スケジュールデータ生成手段とを有する分析サーバを備え、且つ、
前記検索手段が、
検索した広告コンテンツの広告コンテンツＩＤと、自広告表示装置を特定する広告表示装置特定情報とを含む検索通知を前記分析サーバへ送信する構成を有し、
前記広告コンテンツ配信手段が、
広告表示装置へ広告コンテンツと表示スケジュールデータを送信する際、前記表示スケジュール記憶部に登録されている該当する表示スケジュールデータを送信する構成を有することを特徴とする。
【００１３】
本発明にかかる第７の広告仲介システムは、時間帯や広告表示装置の設置場所に応じて、広告閲覧者が興味を持つ広告を優先的に表示するため、第５の広告仲介システムにおいて、
送信履歴記憶部と、
表示スケジュール記憶部と、
前記顧客アドレス通知手段から広告コンテンツＩＤと広告表示装置特定情報とを含む送信通知が送られてきたとき、前記広告コンテンツＩＤと前記広告表示装置特定情報と現在時刻とを対応付けて前記送信履歴部に登録する送信履歴登録手段と、
前記検索履歴記憶部の内容に基づいて、広告表示装置特定情報によって特定される各広告表示装置毎の表示スケジュールデータを生成し、生成した表示スケジュールデータを前記表示スケジュール記憶部に登録する表示スケジュールデータ生成手段とを有する分析サーバを備え、且つ、
前記顧客アドレス通知手段が、
前記携帯端末へ送信した広告コンテンツの広告コンテンツＩＤと、広告表示装置を特定する広告表示装置特定情報とを含んだ送信通知を前記分析サーバに送信する構成を有し、
前記広告コンテンツ配信手段が、
広告表示装置へ広告コンテンツと表示スケジュールデータを送信する際、前記表示スケジュール記憶部に登録されている該当する表示スケジュールデータを送信する構成を有することを特徴とする。
【００１４】
本発明にかかる第８の広告仲介システムは、携帯端末の所有者が、何時でも、何処でも広告表示装置に表示されている広告と同じ広告を閲覧できるようにするため、第６または第７の広告仲介システムにおいて、
前記広告コンテンツ配信手段が、
携帯端末から広告表示装置特定情報を含む広告コンテンツ要求が送られてきたとき、前記広告表示装置特定情報によって特定されている広告表示装置に配信している広告コンテンツと同じ広告コンテンツを、前記携帯端末に配信する構成を有することを特徴とする。
【００１５】
本発明にかかるメール配信サーバは、広告表示装置に表示されている広告に興味を持った広告閲覧者のメールアドレスを広告主に知らせることなく、広告主が広告閲覧者に対して電子メールを用いた積極的なアプローチを行えるようにするため、
携帯端末から広告コンテンツ要求が送られてきたとき、現在表示中の広告コンテンツを前記携帯端末に送信し、前記広告コンテンツの送信先の携帯端末からメールアドレスが送られたきたとき、前記広告コンテンツを特定する広告コンテンツＩＤと前記メールアドレスとを含む顧客アドレス通知を送信する広告表示装置から顧客アドレス通知が送られてくることにより、前記顧客アドレス通知に含まれている広告コンテンツＩＤによって特定される広告主端末へ前記広告コンテンツＩＤを含む顧客通知を送信し、前記広告主端末から前記顧客通知に対する広告主メールが送られてきたとき、該広告主メールを前記顧客アドレス通知に含まれていたメールアドレスへ送信するメール仲介手段を備えたことを特徴とする。
【００１６】
本発明にかかるプログラムは、広告表示装置に表示されている広告に興味を持った広告閲覧者のメールアドレスを広告主に知らせることなく、広告主が広告閲覧者に対して電子メールを用いた積極的なアプローチを行えるようにするため、
コンピュータをメール配信サーバとして機能させるためのプログラムであって、
前記コンピュータを、
携帯端末から広告コンテンツ要求が送られてきたとき、現在表示中の広告コンテンツを前記携帯端末に送信し、前記広告コンテンツの送信先の携帯端末からメールアドレスが送られたきたとき、前記広告コンテンツを特定する広告コンテンツＩＤと前記メールアドレスとを含む顧客アドレス通知を送信する広告表示装置から顧客アドレス通知が送られてくることにより、前記顧客アドレス通知に含まれている広告コンテンツＩＤによって特定される広告主端末へ前記広告コンテンツＩＤを含む顧客通知を送信し、前記広告主端末から前記顧客通知に対する広告主メールが送られてきたとき、該広告主メールを前記顧客アドレス通知に含まれていたメールアドレスへ送信するメール仲介手段として機能させることを特徴とする。
【発明の効果】
【００１７】
本発明にかかる第１の広告仲介システム、メール配信サーバ、プログラムによれば、広告表示装置に表示されている広告に興味を持った広告閲覧者のメールアドレスを広告主に知らせることなく、広告主が広告閲覧者に対して電子メールを用いた積極的なアプローチを行うことが可能になる。その理由は、広告表示装置から顧客アドレス通知が送られてきたとき、それに含まれている広告コンテンツＩＤによって特定される広告主端末へ上記広告コンテンツＩＤを含む顧客通知を送信すると共に、上記顧客アドレス通知に含まれている広告閲覧者のメールアドレスを管理し、広告主端末から上記顧客通知に対する広告主メールが送られてきたとき、広告主メールを上記管理しているメールアドレスへ送信するメール仲介手段を備えているからである。
【００１８】
また、本発明にかかる第２の広告仲介システムによれば、広告主からのメールが無制限に広告閲覧者の携帯端末に配信されないようにすることができる。その理由は、メール仲介手段が、広告主端末から第２回目以降の広告主メールが送られてきたとき、この広告主メールよりも１回前の広告主メールに対する回答メールが広告閲覧者の携帯端末から送られてきていることを条件にして、広告主メールを配信するようにしているからである。
【００１９】
本発明にかかる第３の広告仲介システムによれば、スケジュール通りに広告を表示することができる。その理由は、広告表示装置が、広告配信サーバから送られてきた複数の広告コンテンツを、広告配信サーバから送られてきた表示スケジュールデータに従ってディスプレイ装置に表示する表示制御手段を備えているからである。
【００２０】
本発明にかかる第４の広告仲介システムによれば、電子広告事業者が広告主に対して、広告コンテンツの表示回数に応じた課金を行うことができる。その理由は、電子広告事業者によって運用される広告配信サーバが、表示履歴記憶部に登録されている広告コンテンツＩＤに基づいて、各広告主に対する課金金額を算出する課金手段を備えているからである。
【００２１】
本発明にかかる第５の広告仲介システムによれば、広告閲覧者が指定した条件を満たす広告を広告表示装置に表示することができる。その理由は、広告表示装置が、携帯端末から入力された検索条件に合う広告コンテンツを検索する検索手段を備えているからである。
【００２２】
本発明にかかる第６の広告仲介システムによれば、時間帯や広告表示装置の設置場所に応じて、広告閲覧者が興味を持つ広告を優先的に表示することができる。その理由は、広告閲覧者によって検索された広告コンテンツの広告コンテンツＩＤと、その時の時刻と、広告表示装置特定情報とに基づいて表示スケジュールデータを生成する分析サーバを備えているからである。
【００２３】
本発明にかかる第７の広告仲介システムによれば、時間帯や広告表示装置の設置場所に応じて、広告閲覧者が興味を持つ広告を優先的に表示することができる。その理由は、広告閲覧者の携帯端末へ送信された広告コンテンツの広告コンテンツＩＤと、その時の時刻と、広告表示装置特定情報とに基づいて表示スケジュールデータを生成する分析サーバを備えているからである。
【００２４】
本発明にかかる第８の広告仲介システムによれば、携帯端末の所有者が、何時でも、何処でも広告表示装置に表示されている広告と同じ広告を閲覧することが可能になる。その理由は、広告配信サーバが、携帯端末から広告表示装置特定情報を含む広告コンテンツ要求が送られてきたとき、広告表示装置特定情報によって特定されている広告表示装置に配信している広告コンテンツと同じ広告コンテンツを、上記携帯端末に配信する広告コンテンツ配信手段を備えているからである。
【発明を実施するための最良の形態】
【００２５】
次に本発明の実施の形態について図面を参照して詳細に説明する。
【００２６】
〔構成の説明〕
図１は本発明にかかる広告仲介システムの実施の形態の全体構成例を示すブロック図であり、電子広告事業者システム１００と、複数の広告表示装置８−１〜８−ｎと、複数の携帯端末９−１〜９−３と、複数の広告主端末１０−１〜１０−ｍとから構成されている。そして、電子広告事業者システム１００、広告表示装置８−１〜８−ｎ、携帯端末９−１〜９−３及び広告主端末１０−１〜１０−ｍは、インターネット等のネットワークＮＷを介して相互に接続されている。
【００２７】
電子広告事業者システム１００は、電子広告事業者によって運用されるシステムであり、広告配信サーバ１、分析サーバ２、メール配信サーバ３、広告コンテンツデータベース（ＤＢ）４、分析ＤＢ５、顧客ＤＢ６及び管理端末７から構成される。
【００２８】
〔広告配信サーバ１の構成〕
広告配信サーバ１は、コンピュータによって実現されるものであり、例えば、図２に示すような構成を有する。同図を参照すると、広告配信サーバ１は、広告コンテンツ登録手段１１と、表示履歴登録手段１２と、広告コンテンツ配信手段１３と、課金手段１４と、送受信手段１５とを備えている。
【００２９】
広告コンテンツ登録手段１１は、管理端末７から広告コンテンツＩＤ、広告主ＩＤ及び広告コンテンツを含む登録指示が入力されたとき、広告コンテンツＤＢ４内の広告コンテンツ記憶部４１（図３参照）に、上記広告コンテンツＩＤ、広告主ＩＤ及び広告コンテンツを登録する機能や、管理端末７から広告コンテンツＩＤを含む削除指示が入力されたとき、広告コンテンツ記憶部４１に登録されている上記広告コンテンツＩＤに関する情報を削除する機能や、管理端末７から広告コンテンツＩＤ、広告主ＩＤ及び広告コンテンツを含む更新指示が入力されたとき、上記広告コンテンツＩＤと対応付けて広告コンテンツ記憶部４１に登録されている広告主ＩＤ及び広告コンテンツを、更新指示中の広告主ＩＤ及び広告コンテンツで置き換える機能等を有している。なお、図３の広告コンテンツ記憶部４１の内容例は、広告コンテンツＩＤ「ＩＤＫ１」に対応する広告コンテンツが「ａａａ」で、その広告主の広告主ＩＤが「ＩＤＮ１」であることを示している。
【００３０】
広告コンテンツ配信手段１３は、所定のタイミングで分析サーバ２から各広告表示装置８−１〜８−ｎの表示スケジュールデータを取得し、各広告表示装置８−１〜８−ｎに対して該当する表示スケジュールデータと、広告コンテンツ記憶部４１に登録されている広告コンテンツと広告コンテンツＩＤとの対を配信する機能を有する。
【００３１】
表示履歴登録手段１２は、広告表示装置８−ｊ（１≦ｊ≦ｎ）から表示した広告コンテンツの広告コンテンツＩＤ及び広告表示装置８−ｊの装置ＩＤを含む表示通知が送られてきたとき、広告コンテンツＤＢ４内の表示履歴記憶部４２（図３参照）に、表示通知に含まれている広告コンテンツＩＤ及び装置ＩＤと、現在時刻とを対応付けて登録する機能を有する。なお、図３の表示履歴記憶部４２の内容例は、広告コンテンツＩＤ「ＩＤＫ１」の広告コンテンツが、日時「ｂｂｂ」において、装置ＩＤ「ＩＤＳｊ」の広告表示装置８−ｊで表示されたことを示している。
【００３２】
課金手段１４は、表示履歴記憶部４２に登録されている広告コンテンツＩＤに基づいて、各広告主に対する課金金額を算出する機能を有する。なお、広告コンテンツＩＤに対応する広告主ＩＤは、例えば、広告コンテンツ記憶部４１を参照することにより求めることができる。
【００３３】
送受信手段１５は、ネットワークＮＷを介してデータをやり取りする機能を有する。
【００３４】
なお、コンピュータによって広告配信サーバ１を構成する場合には、例えば、次のようにする。コンピュータを広告配信サーバ１として機能させるためのプログラムを記録したディスク、半導体メモリ、その他の記録媒体を用意する。その後、コンピュータに上記記録媒体に記録されているプログラムを読み取らせる。コンピュータは、読み取ったプログラムに従って自身の動作を制御することにより、自コンピュータ上に広告コンテンツ登録手段１１、表示履歴登録手段１２、広告コンテンツ配信手段１３、課金手段１４、送受信手段１５を実現する。
【００３５】
〔分析サーバ２の構成〕
分析サーバ２はコンピュータによって実現されるものであり、例えば、図４に示す構成を有する。同図を参照すると、分析サーバ２は、検索履歴登録手段２１と、送信履歴登録手段２２と、表示スケジュールデータ生成手段２３と、表示スケジュールデータ提供手段２４と、送受信手段２５とを備えている。
【００３６】
検索履歴登録手段２１は、広告表示装置８−ｊから検索した広告コンテンツの広告コンテンツＩＤ及び装置ＩＤを含む検索通知が送られてきたとき、分析ＤＢ５の検索履歴記憶部５２（図５参照）に、検索通知に含まれている広告コンテンツＩＤ及び装置ＩＤと、現在時刻とを対応付けて登録する機能を有する。なお、図５の検索履歴記憶部５２の内容例は、広告コンテンツＩＤ「ＩＤＫ２」の広告コンテンツが、日時「ｃｃｃ」において、装置ＩＤ「ＩＤＳｊ」の広告表示装置８−ｊで検索されたことを示している。
【００３７】
送信履歴登録手段２２は、広告表示装置８−ｊから携帯端末に送信した広告コンテンツの広告コンテンツＩＤ及び装置ＩＤを含む送信通知が送られてきたとき、分析ＤＢ５の送信履歴記憶部５３（図５参照）に、送信通知中のコンテンツＩＤ及び装置ＩＤと現在時刻とを対応付けて登録する機能を有する。なお、図５の送信履歴記憶部５３の内容例は、装置ＩＤ「ＩＤＳｊ」の広告表示装置８−ｊが、日時「ｄｄｄ」において、広告コンテンツＩＤ「ＩＤＫ２」の広告コンテンツを携帯端末に送信したことを示している。
【００３８】
表示スケジュールデータ生成手段２３は、検索履歴記憶部５２の内容、送信履歴記憶部５３の内容、或いは両記憶部５２，５３の内容に基づいて、各広告表示装置８−１〜８−ｎに対する表示スケジュールデータを生成し、各広告表示装置８−１〜８−ｎの装置ＩＤ「ＩＤＳ１〜ＩＤＳｎ」に対応付けて表示スケジュールデータ記憶部５１（図５参照）に登録する機能を有する。
【００３９】
検索履歴記憶部５２の内容に基づいて、表示スケジュールデータを生成する場合には、例えば、次のようにする。
【００４０】
先ず、検索履歴記憶部５２の第１番目のエントリに注目し、そのエントリに登録されている日時が、１日を複数の時間帯（例えば、「０時〜６時」、「６時〜１２時」、「１２時〜１８時」、「１８時〜２４時」といった４つの時間帯）のどの時間帯に入るかを求める。その後、求めた時間帯と、第１番目のエントリに登録されている広告コンテンツＩＤ及び装置ＩＤとに対応するカウンタ（初期値は０）を生成し、そのカウント値を＋１する。その後、第２番目のエントリに注目し、そのエントリに登録されている日時がどの時間帯に属するかを求め、更に、求めた時間帯と、第２番目のエントリに登録されている広告コンテンツＩＤ及び装置ＩＤとに対応するカウンタを既に生成しているか否かを判断する。そして、生成している場合には、該当するカウンタのカウント値を＋１し、生成していない場合は、上記求めた時間帯と、第２番目のエントリに登録されている広告コンテンツＩＤ及び装置ＩＤとに対応するカウンタを新たに生成し、そのカウント値を＋１する。以下、同様の処理を検索履歴記憶部５２の最後のエントリまで行う。その後、生成したカウンタのカウント値に基づいて、各広告表示装置８−１〜８−ｎ毎の表示スケジュールデータを生成する。例えば、広告表示装置８−１の表示スケジュールデータを生成する場合は、装置ＩＤ「ＩＤＳ１」に対応する各カウンタのカウント値に基づいて、各時間帯毎に、カウント値が多い方から所定個数の広告コンテンツＩＤを選択する。その後、各時間帯毎に、選択した広告コンテンツＩＤの広告コンテンツを他の広告コンテンツよりも優先して表示させる表示スケジュールデータを生成する。この表示スケジュールデータの生成方法は、あくまで一例であり、各時間帯において、検索回数が多い広告コンテンツを優先的に表示させる表示スケジュールデータを生成できるのであれば、他の生成方法を採用しても良いことは勿論である。
【００４１】
また、送信履歴記憶部５３の内容に基づいて表示スケジュールデータを生成する場合には、送信履歴記憶部５３の各エントリを対象にして、上述した処理と同様の処理を行えば良い。また、検索履歴記憶部５２の内容と送信履歴記憶部５３の内容とに基づいて表示スケジュールデータを生成する場合には、両記憶部５２，５３の各エントリを対象にして、上述した処理と同様の処理を行えば良い。なお、送信履歴記憶部５３の内容に基づいて表示スケジュールデータを生成した場合には、各時間帯において、携帯端末への送信回数が多い広告コンテンツが優先的に表示される表示スケジュールデータが作成され、両記憶部５２，５３の内容に基づいて表示スケジュールデータを生成した場合には、各時間帯毎に、検索回数、送信回数が多い広告コンテンツが優先的に表示される表示スケジュールデータが生成される。
【００４２】
なお、図５の表示スケジュールデータ記憶部５１の内容例は、装置ＩＤ「ＩＤＳ１」によって特定される広告表示装置８−１の「０時〜６時」、「６時〜１２時」、「１２時〜１８時」、「１８時〜２４時」における表示スケジュールデータがそれぞれ「ｑｑｑ」、「ｒｒｒ」、「ｖｖｖ」、「ｘｘｘ」であることを示している。
【００４３】
表示スケジュールデータ提供手段２４は、広告配信サーバ１から表示スケジュールデータが要求された場合、表示スケジュールデータ記憶部５１に登録されている広告表示装置８−１〜８−ｎの表示スケジュールデータを広告配信サーバ１へ送信する機能を有する。
【００４４】
送受信手段２５は、ネットワークＮＷを介してデータを送受信する機能を有する。
【００４５】
なお、コンピュータによって分析サーバ２を構成する場合には、例えば、次のようにする。コンピュータを分析サーバ２として機能させるためのプログラムを記録したディスク、半導体メモリ、その他の記録媒体を用意する。その後、コンピュータに上記記録媒体に記録されているプログラムを読み取らせる。コンピュータは、読み取ったプログラムに従って自身の動作を制御することにより、自コンピュータ上に検索履歴登録手段２１、送信履歴登録手段２２、表示スケジュールデータ生成手段２３、表示スケジュールデータ提供手段２４、送受信手段２５を実現する。
【００４６】
〔メール配信サーバ３〕
メール配信サーバ３は、コンピュータによって実現されものであり、例えば、図６に示す構成を有する。同図を参照すると、メール配信サーバ３は、メール仲介手段３１と、広告主アドレス情報登録手段３２と、送受信手段３３とを備えている。
【００４７】
メール仲介手段３１は、広告表示装置８−ｊから広告閲覧者のメールアドレスと広告閲覧者の携帯端末へ送信した広告コンテンツの広告コンテンツＩＤとを含んだ顧客アドレス通知が送られてきたとき、ユニークな顧客ＩＤを生成し、顧客ＤＢ６内の顧客情報記憶部６１（図７参照）に、上記生成した顧客ＩＤと、上記顧客アドレス通知中のメールアドレス（顧客メールアドレス）及び広告コンテンツＩＤと、許可フラグ（初期値は“０”）とを対応付けて登録する機能を有する。ここで、許可フラグは、広告主端末から送られてきた電子メール（勧誘メール）を、顧客メールアドレスに転送しても良いか否かを示すフラグであり、本実施の形態では、許可フラグ“０”が転送許可を示し、許可フラグ“１”が転送不許可を示すものとする。なお、図７に示した顧客情報記憶部６１の内容例は、顧客ＩＤ「ＩＤＵ１」の顧客は、広告コンテンツＩＤ「ＩＤＫ２」の広告コンテンツを自身の携帯機器に取り込んだ顧客であり、顧客メールアドレスが「ｙｙｙ」であることを示している。
【００４８】
更に、メール仲介手段３１は、上記広告コンテンツＩＤによって特定される広告コンテンツの広告主に対して、上記顧客ＩＤと上記広告コンテンツＩＤとを含んだ顧客通知メールを送信する機能や、広告主端末から顧客ＩＤを含んだ勧誘メールが送られてきたとき、上記顧客ＩＤと対応付けて顧客情報記憶部６１に登録されているメールアドレスに勧誘メールを送信すると共に許可フラグを“１”に更新する機能や、上記勧誘メールの送信先の携帯端末から上記顧客ＩＤを含む承諾メールが送られてきた場合、該当する広告主端末に承諾メールを送信すると共に許可フラグを“０”に更新する機能を有する。
【００４９】
広告主アドレス情報登録手段３２は、管理端末７からの指示に従って、顧客ＤＢ６内の広告主アドレス情報記憶部６２（図７参照）に、広告主（広告主端末）のメールアドレス（広告主メールアドレス）と、その広告主から表示することが依頼されている広告コンテンツの広告コンテンツＩＤとを対応付けて登録する機能を有する。図７の例は、広告主メールアドレス「ｚｚｚ」の広告主が、広告コンテンツＩＤ「ＩＤＫ１，ＩＤＫ２，…」の広告コンテンツの広告主であることを示している。
【００５０】
送受信手段３３は、ネットワークＮＷを介してデータを送受信する機能を有している。
【００５１】
なお、コンピュータによってメール配信サーバ３を構成する場合には、例えば、次のようにする。コンピュータをメール配信サーバ３として機能させるためのプログラムを記録したディスク、半導体メモリ、その他の記録媒体を用意する。その後、コンピュータに上記記録媒体に記録されているプログラムを読み取らせる。コンピュータは、読み取ったプログラムに従って自身の動作を制御することにより、自コンピュータ上にメール仲介手段３１、広告主アドレス情報登録手段３２、送受信手段３３を実現する。
【００５２】
〔広告表示装置〕
広告表示装置８−１は、コンピュータによって実現されるものであり、例えば、図８に示す構成を有する。同図を参照すると、広告表示装置８−１は、送受信手段８１と、制御手段８２と、入出力デバイス８３と、ローカルＤＢ８４と、ディスプレイ装置８５とを備えている。なお、他の広告表示装置も広告表示装置８−１と同様の構成を有する。
【００５３】
送受信手段８１は、ネットワークＮＷを介してデータを送受信する機能を有する。
【００５４】
入出力デバイス８３は、無線ＬＡＮ、赤外線通信などによって、携帯端末９−１とデータをやり取りする機能を有している。
【００５５】
制御手段８２は、広告コンテンツ登録手段８２１と、検索手段８２２と、表示制御手段８２３と、顧客アドレス通知手段８２４とを備えている。
【００５６】
広告コンテンツ登録手段８２１は、広告配信サーバ１から送られてきた広告コンテンツと広告コンテンツＩＤとの対をローカルＤＢ８４中の広告コンテンツ記憶部８４１に登録すると共に、広告配信サーバ１から送られてきた広告スケジュールデータを広告スケジュール記憶部８４２に登録する機能を有する（図９参照）。なお、図９に示した広告コンテンツ記憶部８４１の内容例は、広告コンテンツＩＤ「ＩＤＫ１」に対応付けて広告コンテンツ「ａａａ」が登録されていることを示し、表示スケジュール記憶部８４２の内容例は、表示スケジュールデータ「ｘｘｘ」が登録されていることを示している。
【００５７】
表示制御手段８２３は、ローカルＤＢ８４の広告コンテンツ記憶部８４１に登録されている広告コンテンツを、表示スケジュール記憶部８４２に登録されている表示スケジュールデータに従ってディスプレイ装置８５に表示する機能や、検索手段８２２から表示指示された広告コンテンツをディスプレイ装置８５に表示する機能などを有する。更に、表示制御装置８２３は、表示スケジュールデータに従って広告コンテンツを表示する毎に、表示した広告コンテンツの広告コンテンツＩＤを含んだ表示通知を広告配信サーバ１へ送信する機能を有する。
【００５８】
検索手段８２２は、入出力デバイス８３を介して携帯端末９−１から検索条件が入力されたとき、ローカルＤＢ８４を検索し、検索条件に合う広告コンテンツを探し出す機能や、探し出した広告コンテンツの表示を表示制御手段８２３に指示する機能などを有する。更に、検索手段８２２は、検索した広告コンテンツの広告コンテンツＩＤと、自広告表示装置８−１の装置ＩＤとを含む検索通知を分析サーバ２へ送信する機能を有する。
【００５９】
顧客アドレス通知手段８２４は、携帯端末９−１から広告コンテンツ要求が送られてきたとき、現在表示中の広告コンテンツを携帯端末９−１に送信する機能や、送信した広告コンテンツの広告コンテンツＩＤと自広告表示装置の装置ＩＤとを含む送信通知を分析サーバ２へ送信する機能や、携帯端末９−１からメールアドレスが送られたきたとき、上記送信した広告コンテンツの広告コンテンツＩＤと上記メールアドレスとを含む顧客アドレス通知をメール配信サーバ３へ送信する機能を有する。
【００６０】
なお、コンピュータによって広告表示装置８−１を実現する場合には、例えば、次のようにする。入出力デバイス８３、ローカルＤＢ８４及びディスプレイ装置８５を備えたコンピュータを広告表示装置８−１として機能させるためのプログラムを記録したディスク、半導体メモリ、その他の記録媒体を用意する。その後、コンピュータに上記記録媒体に記録されているプログラムを読み取らせる。コンピュータは、読み取ったプログラムに従って自身の動作を制御することにより、自コンピュータ上に送受信手段８１、制御手段８２を実現する。
【００６１】
〔携帯端末〕
携帯端末９−１は、広告閲覧者の所持する携帯電話機、ＰＤＡ（Personal Digital Assistants)等の携帯端末である。広告閲覧者は、携帯端末９−１〜９−３を使用して広告表示装置に表示されている広告コンテンツを自端末に取り込んだり、ネットワークＮＷを介して広告配信サーバ１にアクセスし、広告表示装置の装置ＩＤを入力することにより、上記広告表示装置で配信されている広告コンテンツと同じ広告コンテンツを閲覧することができる。
【００６２】
〔動作の説明〕
次に、本実施の形態の動作について詳細に説明する。
【００６３】
広告配信サーバ１内の広告コンテンツ配信手段１３は、広告表示装置８−１に対する広告コンテンツの配信タイミングになると、広告表示装置８−１の装置ＩＤ「ＩＤＳ１」を含んだ表示スケジュールの問合わせを分析サーバ２に対して送信する（図１０、ステップＣ１）。
【００６４】
これにより、分析サーバ２内の表示スケジュールデータ提供手段２４は、分析ＤＢ５内の表示スケジュールデータ記憶部５１を検索し、現在時刻を含む時間帯における広告表示装置８−１の表示スケジュールデータを取得し、取得した表示スケジュールデータを配信サーバ１へ送信する（ステップＤ１）。
【００６５】
広告配信サーバ１内の広告コンテンツ配信手段１３は、表示スケジュールデータが分析サーバ２から返信されると、それと広告コンテンツＤＢ４内の広告コンテンツ記憶部４１に登録されている広告コンテンツと広告コンテンツＩＤとの対を広告表示装置８−１に送信する。広告表示装置８−１内の広告コンテンツ登録手段８２１は、広告配信サーバ１から送られてきた広告コンテンツと広告コンテンツＩＤとの対をローカルＤＢ８４内の広告コンテンツ記憶部８４１に登録（上書き）する共に、表示スケジュール記憶部８４２を表示スケジュール記憶部８４２に登録（上書き）する（ステップＣ２）。
【００６６】
広告表示装置８−１内の表示制御部９２３は、表示スケジュール記憶部８４２に登録されている表示スケジュールデータに従って広告コンテンツ記憶部８４１に登録されている各広告コンテンツを繰り返しディスプレイ装置８５に表示する（ステップＢ２，Ｂ３）。また、表示コンテンツを切り換える毎に、今回表示した広告コンテンツの広告コンテンツＩＤと、自装置の装置ＩＤ「ＩＤＳ１」とを含む表示通知を広告配信サーバ１へ送信する（ステップＢ１）。
【００６７】
広告配信サーバ１内の表示履歴登録手段１２は、広告表示装置８−１から表示通知が送られて来る毎に、広告コンテンツＤＢ４内の表示履歴記憶部４２に、表示通知に含まれている広告コンテンツＩＤ、装置ＩＤと、現在時刻とを対応付けて登録する。また、広告配信サーバ１内の課金手段１４は、毎月月末など、予め定められているタイミングにおいて、表示履歴記憶部４２の内容に基づいて、広告コンテンツの表示回数に応じた、各広告主に対する請求額を計算する（ステップＣ３）。ここまでの流れは、広告閲覧者による操作（検索条件の入力）が介在しない場合、繰り返される。
【００６８】
次に、広告閲覧者が、自身の携帯端末９−１を用いて、広告表示装置８−１に検索条件を入力した場合の動作について説明する。なお、検索条件の入力は、携帯端末９−１での入力に特定されるものではないが、以下の説明においては携帯端末９−１での検索条件入力を前提として説明する。広告表示装置８−１に入力デバイスが装備されている場合、広告閲覧者により、その入力デバイスにて実行される。
【００６９】
広告表示装置８−１の近傍にいる広告閲覧者は、所定の条件を満たす広告コンテンツを広告表示装置８−１に表示させたい場合、自身の携帯端末９−１を使用して広告表示装置８−１に検索条件を入力する。ここで、広告コンテンツが例えば不動産に関するものである場合は、検索条件として家賃、間取り等を入力する。広告表示装置８−１内の検索手段８２２は、入出力デバイス８３を介して携帯端末９−１からの検索条件を受信すると、ローカルＤＢ８４内の広告コンテンツ記憶部８４１を検索し、検索条件に合う広告コンテンツを探し出す。そして、探し出した広告コンテンツの広告コンテンツＩＤを表示制御部に渡す（ステップＡ１）。
【００７０】
これにより、表示制御手段８２３は、検索手段８２２から渡された広告コンテンツＩＤの広告コンテンツを広告コンテンツ記憶部８４１から取り出し、ディスプレイ装置８５に表示する（ステップＡ２）。このステップＡ１，Ａ２は、広告閲覧者の意志により繰り返される。また、表示制御手段８２３は、検索条件が入力されてから所定時間が経過しても次の検索条件が入力されなかった場合は、表示スケジュールデータに従った広告コンテンツの表示処理に復帰する（ステップＢ７）。
【００７１】
一方、検索手段８２２は、検索した広告コンテンツＩＤ及び広告表示装置８−１の装置ＩＤ「ＩＤＳ１」を含む検索通知を分析サーバ２へ送信する。分析サーバ２内の検索履歴登録手段２１は、検索通知に含まれている広告コンテンツＩＤ、装置ＩＤと、現在時刻とを対にして分析ＤＢ５内の検索履歴記憶部５２に登録する（ステップＢ４）。なお、このステップＢ４において検索履歴記憶部５２に登録された情報は、表示スケジュールデータ生成手段２３が表示スケジュールデータを生成する際に利用される（ステップＤ２）。
【００７２】
広告表示装置８−１に表示された検索条件に合う広告コンテンツを、自身の携帯端末９−１に格納したい場合、広告閲覧者は、携帯端末９−１から広告表示装置８−１へ広告コンテンツ要求を送信する（ステップＡ３）。
【００７３】
これにより、広告表示装置８−１内の顧客アドレス通知手段８２４は、現在ディスプレイ装置８５に表示している広告コンテンツを携帯端末９−１へ送信する（ステップＡ４）。その際、携帯端末向けに整形してから送信するようにしても良い。また、広告閲覧者の許可があった場合、広告閲覧者のメールアドレスとメール配信サーバ３のメールアドレスを交換し合う（ステップＡ５）。
【００７４】
顧客アドレス通知手段８２４は、携帯端末９−１へ広告コンテンツを送信すると、その広告コンテンツＩＤと装置ＩＤ「ＩＤＳ１」とを含む送信通知を分析サーバ２へ送信する。分析サーバ２内の送信履歴登録手段２２は、送信通知に含まれている広告コンテンツＩＤ、装置ＩＤと、現在時刻とを対応付けて分析ＤＢ５内の送信履歴記憶部５３に登録する（ステップＢ５）。なお、このステップＢ５において、送信履歴記憶部５３に登録された情報は、表示スケジュールデータ生成手段２３が、表示スケジュールデータを生成する際に利用される（ステップＤ２）。
【００７５】
また、顧客アドレス通知手段８２４は、携帯端末９−１からメールアドレスが送られて来ると、そのメールアドレスと携帯端末９−１に送信した広告コンテンツ（広告閲覧者が携帯端末９−１に格納して持ち帰った広告コンテンツ）の広告コンテンツＩＤとを含む顧客アドレス通知をメール配信サーバ３へ送信する。メール配信サーバ３内のメール仲介手段３１は、広告表示装置８−１から顧客アドレス通知が送られて来ると、ユニークな顧客ＩＤを生成し、この生成した顧客ＩＤと、顧客アドレス通知に含まれているメールアドレス、広告コンテンツＩＤと、許可フラグ“０”とを対応付けて顧客ＤＢ６内の顧客情報記憶部６１に登録する（ステップＢ６）。その後、メール仲介手段３１は、顧客アドレス通知に含まれている広告コンテンツＩＤと、広告主アドレス情報記憶部６２の内容とに基づいて、広告主のメールアドレスを求め、そのメールアドレスに、上記顧客ＩＤと、広告コンテンツＩＤ（広告閲覧者が携帯端末９−１に格納して持ち帰った広告コンテンツの広告コンテンツＩＤ）とを含む顧客通知を送信する（ステップＥ１）。
【００７６】
広告主端末１０−１は、メール配信サーバ３から送られてきた顧客通知を受信する。広告主端末１０−１の担当者は、顧客通知に含まれている広告コンテンツＩＤに基づいて広告閲覧者が興味を持っている物件（例えば、広告コンテンツが不動産関係のものである場合）を認識し、その物件に関する勧誘メールを作成する。更に、作成した勧誘メールに、上記顧客通知に含まれていた顧客ＩＤを、予め定められている記入形式で記入する。ここで、顧客ＩＤを予め定められている記入形式で記入するのは、メール配信サーバ３において、顧客ＩＤを自動認識できるようにするためである。その後、広告主端末１０−１の担当者は、顧客ＩＤを記入済みの勧誘メールをメール配信サーバ３へ送信する（ステップＦ１）。
【００７７】
メール配信サーバ３内のメール仲介手段３１は、広告主端末１０−１から勧誘メールが送られて来ると、先ず、それに記入されている顧客ＩＤを抽出する。その後、抽出した顧客ＩＤをキーにして顧客ＤＢ６内の顧客情報記憶部６１を検索し、該当するレコード中の許可フラグが“０”（転送許可）になっているか否かを判断する。許可フラグが“０”になっている場合は、広告主端末１０−１から送られてきた勧誘メールを、上記該当するレコード中のメールアドレスに送信すると共に、許可フラグを“１”（転送不許可）に変更する。これに対して、許可フラグが“１”（転送不許可）になっている場合は、勧誘メールを転送できない旨、広告主端末１０−１へ通知する（ステップＥ２）。
【００７８】
携帯端末９−１において、広告主からの勧誘メールを受信した広告閲覧者は、勧誘メールに対して回答を行うことが必要である場合には、顧客ＩＤを含む承諾メール（勧誘メールに対する回答：例えば、勧誘メールが商談の日時や場所を指定したものである場合には、商談ＯＫなど）をメール配信サーバ３へ送信する（ステップＡ６）。
【００７９】
メールサーバ３内のメール仲介手段３１は、携帯端末９−１から顧客ＩＤを含む承諾メールが送られて来ると、それに含まれている顧客ＩＤを抽出する。その後、上記顧客ＩＤをキーにして顧客ＤＢ６中の顧客情報記憶部６１を検索し、該当するレコード中の許可フラグを“０”に変更する。更に、上記レコード中の広告コンテンツＩＤと広告主アドレス情報記憶部６２の内容とに基づいて、該当する広告主のメールアドレスを求め、このメールアドレスに携帯端末９−１からの承諾メールを送信する（ステップＥ３）。以上のステップＦ１，Ｅ１，Ａ６，Ｅ３は、ステップＦ２に従い繰り返される。但し、ステップＡ６が発生しない限りにおいては、ステップＦ１を実施できないようメール配信サーバ３にてブロックされる（許可フラグが“０”でない場合には、勧誘メールの配信を行わない）。この仕組みにより、広告閲覧者、広告主はメール配信サーバ３の単一のメールアドレスでメールを受信でき、広告閲覧者は、勧誘メールに対して返事を書かない限りにおいては勧誘のメールを受信することはない。
【００８０】
図１１は、本発明の実施の形態に係る事業者間の利益循環の概念図である。図１１を用いて本システムを活用した電子広告事業者における広告主と広告閲覧者（顧客）との仲介方法の実際の金銭の流れの形態について述べる。本システムにおける広告主と広告閲覧者（顧客）との仲介事業は，電子広告事業者４０５、広告主４０１，４０２，４０３，４０４，４０８、店舗４０６，４０７，４０９、広告閲覧者４１０，４１１，４１２の各アクターによって構成される。
【００８１】
各広告主４０１，４０２，４０３，４０４，４０８は、電子広告事業者４０５に広告料を納める。広告料は各店舗４０６，４０７，４０９での各広告表示装置に表示された回数により従量で課金され、各広告主４０１，４０２，４０３，４０４，４０８は、一定期間でその積算を電子広告事業者４０５に支払う（その際に広告作成を代行する際は広告主は電子広告事業者に収める）。また、各広告主が、本システムの仲介により獲得した広告閲覧者との売買契約、賃貸契約等が発生した場合、各広告事業者は電子広告事業者に成約手数料を納める。
【００８２】
電子広告事業者４０５は、各広告主４０１，４０２，４０３，４０４，４０８に対して、各広告主４０１，４０２，４０３，４０４，４０８から依頼された広告内容を電子広告として表示し、各広告閲覧者４１０、４１１、４１２が各広告主４０１，４０２，４０３，４０４，４０８の広告に興味を示し、各広告閲覧者４１０、４１１、４１２が本システムにメールアドレスを提供した場合、即時の通知と広告閲覧者４１０、４１１、４１２と各広告主４０１，４０２，４０３，４０４，４０８の以降のメールによるやり取りを一元して実施する仕組みの使用と、広告表示装置から収集された地域、時間帯、顧客興味を分析した統計資料等を提供する。
【００８３】
広告表示装置を設置する店舗は３つの契約形態により電子広告事業者４０５との契約関係が異なる。店舗Ａ４０６は店舗Ａ４０６自店の集客の為に広告表示装置を設置したい場合の契約形態であり、この場合は広告表示装置のリース料を店舗Ａ４０６が電子広告事業４０５に支払う。店舗Ｂ４０７は逆に電子広告事業者４０５が広告表示装置を店舗Ｂ４０７に設置してもらう契約形態で、その場合、広告表示装置の設置料を電子広告事業者４０５が店舗Ｂ４０７に支払う。店舗Ｃ４０９は店主と広告主４０８が同じアクターである形態で、店舗Ｃ４０９での広告表示装置のリース料を店舗Ｃ４０９が電子広告事業者４０５に支払う。また、店舗Ｃは売買契約成立時には、電子広告事業者に成約手数料を支払う。
【００８４】
以上述べたように各アクターは、相互に有益な関係を得る。
【図面の簡単な説明】
【００８５】
【図１】本発明にかかる広告仲介システムの実施の形態の全体構成例を示すブロック図である。
【図２】広告配信サーバ１の構成例を示すブロック図である。
【図３】広告コンテンツＤＢの構成例を示す図である。
【図４】分析サーバ２の構成例を示すブロック図である。
【図５】分析ＤＢ５の構成例を示す図である。
【図６】メール配信サーバ３の構成例を示すブロック図である。
【図７】顧客ＤＢ６の構成例を示す図である。
【図８】広告表示装置８−１の構成例を示すブロック図である。
【図９】ローカルＤＢ８４の構成例を示す図である。
【図１０】実施の形態の動作例を示すフローチャートである。
【図１１】本発明の実施の形態に係る事業者間の利益循環の概念図である
【符号の説明】
【００８６】
１…広告配信サーバ
１１…広告コンテンツ登録手段
１２…表示履歴登録手段
１３…広告コンテンツ配信手段
１４…課金手段
１５…送受信手段
２…分析サーバ
２１…検索履歴登録手段
２２…送信履歴登録手段
２３…表示スケジュールデータ生成手段
２４…表示スケジュールデータ提供手段
２５…送受信手段
３…メール配信サーバ
３１…メール仲介手段
３２…広告主アドレス情報登録手段
３３…送受信手段
４…広告コンテンツＤＢ
４１…広告コンテンツ記憶部
４２…表示履歴記憶部
５…分析ＤＢ
５１…表示スケジュールデータ記憶部
５２…検索履歴記憶部
５３…送信履歴記憶部
６…顧客ＤＢ
６１…顧客情報記憶部
６２…広告主アドレス情報記憶部
７…管理端末
８−１〜８−ｎ…広告表示装置
８１…送受信手段
８２…制御手段
８２１…広告コンテンツ登録手段
８２２…検索手段
８２３…表示制御手段
８２４…顧客アドレス通知手段
８３…入出力デバイス
８４…ローカルＤＢ
８４１…広告コンテンツ記憶部
８４２…表示スケジュール記憶部
８５…ディスプレイ装置
９−１〜９−３…携帯端末
１０−１〜１０−ｍ…広告主端末
ＮＷ…ネットワーク
【図１】
2005258865.tif 000003
【図２】
2005258865.tif 000004
【図３】
2005258865.tif 000005
【図４】
2005258865.tif 000006
【図５】
2005258865.tif 000007
【図６】
2005258865.tif 000008
【図７】
2005258865.tif 000009
【図８】
2005258865.tif 000010
【図９】
2005258865.tif 000011
【図１０】
2005258865.tif 000012
【図１１】
2005258865.tif 000013